(57)【要約】      （修正有）【課題】表示板取付の作業性の向上と省スペース化が可能な掲示用スタンドを提供する。【解決手段】掲示プレート６０を組み付ける際には、分割プレート６０Ｐを１枚ずつ貫通孔１６に差し込んで水平にスライドさせればよい。掲示プレート６０を、横から組み付けるようにしたので、掲示プレート６０（分割プレート６０Ｐ）を高く持ち上げる必要がなく、作業性がよい。掲示プレート６０を、高さ寸法の小さい複数の分割プレート６０Ｐに分けたので、掲示プレート６０全体の高さ寸法が大きい場合でも、サイドフレーム１１Ｌ，１１Ｒに対する組付けや取扱いが容易である。掲示プレート６０の高さ寸法が大きい場合でも、サイドフレーム１１Ｌ，１１Ｒの上方に組付けのためのスペースを確保する必要がない。【選択図】  図１
2006030670.tif 000002
【特許請求の範囲】
【請求項１】
互いに対向する内側面に係止溝を開口させてなる左右一対の縦長のサイドフレームと、
前記一対のサイドフレームに対し左右両側縁を前記係止溝に係止させた状態で組み付けられる掲示プレートとを備えてなり、
前記掲示プレートを上下に分割された複数の分割プレートによって構成し、
前記左右一対のサイドフレームのうち少なくとも一方のサイドフレームに、そのサイドフレームの外側面から前記係止溝に連通する形態とされ、前記分割プレートが水平にスライドしつつ貫通することを可能とする溝状の貫通孔を設けたことを特徴とする掲示用スタンド。
【請求項２】
前記一対のサイドフレームの間に、前記分割プレートの上下両縁を案内するガイドフレームを概ね水平に差し渡して設けたことを特徴とする請求項１記載の掲示用スタンド。
【請求項３】
前記分割プレートを、
少なくとも一方が透光性を有し、シート状掲示物を挟むようにして重ね合わされる一対の保持板と、
前記一対の保持板の外縁部に対し表裏両面側から挟むように取り付けられるクリップとを備えて構成したことを特徴とする請求項１又は請求項２記載の掲示用スタンド。
【請求項４】
前記分割プレートにおける前記貫通孔と対応する側縁部に、前記一対のサイドフレームに組み付けられた状態において前記貫通孔の外側面側の開口を閉塞するスペーサを設けたことを特徴とする請求項１ないし請求項３のいずれかに記載の掲示用スタンド。
【請求項５】
前記分割プレートに、前記サイドフレームと係止することで前記分割プレートの前記サイドフレームからの離脱を規制する係止部を設けたことを特徴とする請求項１ないし請求項４のいずれかに記載の掲示用スタンド。
【発明の詳細な説明】
【技術分野】
【０００１】
本発明は、掲示用スタンドに関するものである。
【背景技術】
【０００２】
板状の掲示物を掲示するための掲示用スタンドとして、従来、特許文献１に記載されているものがある。これは、フレームに対し板状の掲示物を上から出し入れするようになっている。
【特許文献１】特開２００１−３２４９３３
【発明の開示】
【発明が解決しようとする課題】
【０００３】
上記のように掲示物を上から出し入れするものの場合、掲示物の高さ方向の寸法が大きくなると、フレームの高さ寸法も大きくなり、掲示物を高く持ち上げた状態で出入れしなければならないため、作業が困難である。また、フレームの上方には、出し入れの際に掲示物との干渉を回避するために、少なくとも掲示物の高さ寸法分のスペースを確保しなければならないという問題もある。  
本発明は上記のような事情に基づいて完成されたものであって、作業性の向上と省スペース化を図ることを目的とする。
【課題を解決するための手段】
【０００４】
上記の目的を達成するための手段として、請求項１の発明は、互いに対向する内側面に係止溝を開口させてなる左右一対の縦長のサイドフレームと、前記一対のサイドフレームに対し左右両側縁を前記係止溝に係止させた状態で組み付けられる掲示プレートとを備えてなり、前記掲示プレートを上下に分割された複数の分割プレートによって構成し、前記左右一対のサイドフレームのうち少なくとも一方のサイドフレームに、そのサイドフレームの外側面から前記係止溝に連通する形態とされ、前記分割プレートが水平にスライドしつつ貫通することを可能とする溝状の貫通孔を設けた構成としたところに特徴を有する。
【０００５】
請求項２の発明は、請求項１に記載のものにおいて、前記一対のサイドフレームの間に、前記分割プレートの上下両縁を案内するガイドフレームを概ね水平に差し渡して設けたところに特徴を有する。
【０００６】
請求項３の発明は、請求項１または請求項２に記載のものにおいて、前記分割プレートを、少なくとも一方が透光性を有し、シート状掲示物を挟むようにして重ね合わされる一対の保持板と、前記一対の保持板の外縁部に対し表裏両面側から挟むように取り付けられるクリップとを備えて構成したところに特徴を有する。
【０００７】
請求項４の発明は、請求項１ないし請求項３のいずれかに記載のものにおいて、前記分割プレートにおける前記貫通孔と対応する側縁部に、前記一対のサイドフレームに組み付けられた状態において前記貫通孔の外側面側の開口を閉塞するスペーサを設けたところに特徴を有する。
【０００８】
請求項５の発明は、請求項１ないし請求項４のいずれかに記載のものにおいて、前記分割プレートに、前記サイドフレームと係止することで前記分割プレートの前記サイドフレームからの離脱を規制する係止部を設けたところに特徴を有する。
【発明の効果】
【０００９】
＜請求項１の発明＞
掲示プレートを組み付ける際には、分割プレートを１枚ずつ貫通孔に差し込んで水平にスライドさせればよい。掲示プレートを、上からではなく、横から組み付けるようにしたので、掲示プレート（分割プレート）を高く持ち上げる必要がなく、作業性がよい。しかも、掲示プレートを、高さ寸法の小さい複数の分割プレートに分けたので、掲示プレート全体の高さ寸法が大きい場合でも、サイドフレームに対する組付けや取扱いが容易である。また、掲示プレートの高さ寸法が大きい場合でも、サイドフレームの上方に組付けのためのスペースを確保する必要がない。
【００１０】
＜請求項２の発明＞
分割プレートをガイドプレートに摺接させつつ組み付けることができるので、組付けの作業性が向上する。
【００１１】
＜請求項３の発明＞
一対の保持板を用いたことにより、紙のように剛性の低いシート状掲示物を掲示することが可能である。また、シート状掲示物を挟み込んで重ね合わせた一対の保持板は、その外縁部に取り付けたクリップにより重ね合わせ状態に保持されていて分離する虞がないので、サイドフレームに対する組付けや取扱いが容易である。
【００１２】
＜請求項４の発明＞
分割プレートを組み付けた状態では貫通孔の外側面側の開口部がスペーサによって閉塞されるので、異物の侵入を防止できるとともに、外側面が概ねフラットになることにより美観の向上を図ることができる。
【００１３】
＜請求項５の発明＞
サイドフレームに組み付けた状態では、係止部をサイドフレームに係止させることにより、分割プレートを組付け状態に保持することができる。
【発明を実施するための最良の形態】
【００１４】
＜実施形態１＞
以下、本発明を具体化した実施形態１を図１乃至図１４を参照して説明する。本実施形態の掲示用スタンドは、ベース５０と保持フレーム１０と掲示プレート６０とから構成される。ベース５０は、水平で方形の板状をなし、下面の四隅にはネジによる図示しない高さ調整機構を備えた脚５１が取り付けられている。
【００１５】
保持フレーム１０は、左右一対の縦長の細長いサイドフレーム１１Ｌ，１１Ｒと、４本の水平な細長いガイドフレーム３０Ａ，３０Ｂと、４つの連結体２０と、２つのキャップ４０とを備えて構成される。  
サイドフレーム１１Ｌ，１１Ｒは、長さ方向において横断面形状が一定の押出材からなり、材質としては合成樹脂製又は金属製とされている。  
向かって左側の第１サイドフレーム１１Ｌの断面形状は、全体として方形をなし、その右側面（後述する第２サイドフレーム１１Ｒと対向する面）には、方形に切欠した形態であり且つ第１サイドフレーム１１Ｌの中空とは非連通の第１係止溝１２Ｌが形成されている。この第１係止溝１２Ｌの前後両内面には、前後一対の抜止め突起１３Ｌが形成されている。また、第１係止溝１２Ｌの奥面板には、左右に貫通するとともに上下に並ぶもので対をなす４対の挿通孔１４が形成されている。この４対の挿通孔１４は、上下方向に等間隔を空けた４ヶ所、即ち第１サイドフレーム１１Ｌの上端部である最上端位置と、第１サイドフレーム１１Ｌの下端部よりも少し上方である最下端位置と、最上端位置と最下端との間の２ヶ所の中間位置に配置されている。尚、第１サイドフレーム１１Ｌの外側板（向かって左側の側板）には、第１係止溝１２Ｌの各挿通孔１４と軸線を合致させた作業孔（図示せず）が形成されている。また、第１サイドフレーム１１Ｌの中空内には、その前面板及び後面板から内側へ円弧状に突出させた形態の弧状雌ネジ部１５Ｌが前後一対形成されている。かかる第１サイドフレーム１１Ｌは、ベース５０の下面側から貫通させたボルト（図示せず）を弧状雌ネジ部１５Ｌにねじ込むことで、ベース５０の上面に垂直に起立した状態で固定されている。
【００１６】
向かって右側の第２サイドフレーム１１Ｒは、前後一対の分割フレーム１１Ｒｆ，１１Ｒｒから構成される。分割フレーム１１Ｒｆ，１１Ｒｒは前後対称であり、両分割フレーム１１Ｒｆ，１１Ｒｒの間には、第２係止溝１２Ｒと貫通孔１６が形成されている。第２係止溝１２Ｒは、第１係止溝１２Ｌと対向するように開口されており、貫通孔１６は、第２係止溝１２Ｒを第２サイドフレーム１１Ｒの外側面（向かって右側の側面）へ連通させている。この２つの分割フレーム１１Ｒｆ，１１Ｒｒは、直接係合はしておらず、後述する連結体２０を介して相対変位を規制された状態に連結されている。両分割フレーム１１Ｒｆ，１１Ｒｒには、第１サイドフレーム１１Ｌと同様の配置とされた円弧形の弧状雌ネジ部１５Ｒが前後一対形成されている。また、両分割フレーム１１Ｒｆ，１１Ｒｒの内側板（第１サイドフレーム１１Ｌと対向する板）には、向かって右側へ略「Ｉ」字状に延出することで第２係止溝１２Ｒを構成する板状の係止板１７が形成され、両分割フレーム１１Ｒｆ，１１Ｒｒの向かって右側の端部には略「Ｌ」字状に延出する係止片１８が形成されている。
【００１７】
かかる分割フレーム１１Ｒｆ，１１Ｒｒは、第１サイドフレーム１１Ｌと同様、ベース５０の下面側から貫通させたボルト（図示せず）を弧状雌ネジ部１５Ｒにねじ込むことで、ベース５０の上面に垂直に起立した状態で固定されている。また、両分割フレーム１１Ｒｆ，１１Ｒｒは、４つの連結体２０を介して結合されている。  
連結体２０は、合成樹脂製又は金属製であって、ブロック状をなし、両分割フレーム１１Ｒｆ，１１Ｒｒの間に挟まれるように組み付けられる。図６〜図１０に示すように、連結体２０には、両分割フレーム１１Ｒｆ，１１Ｒｒの係止板１７に係止することで両係止板１７（両分割フレーム１１Ｒｆ，１１Ｒｒ）が前後方向（図６における上下方向）に離間することを規制するとともに、係止板１７（両分割フレーム１１Ｒｆ，１１Ｒｒ）に対して連結体２０が左方（第１サイドフレーム１１Ｌ側）へ相対変位することを規制する凹み状の第１規制部２１が前後一対形成されている。また、連結体２０には、両分割フレーム１１Ｒｆ，１１Ｒｒの係止片１８に係止することで、両係止片１８（両分割フレーム１１Ｒｆ，１１Ｒｒ）が前後方向に離間することを規制するとともに、係止片１８（両分割フレーム１１Ｒｆ，１１Ｒｒ）に対して連結体２０が左右方向へ相対変位することを規制する略「Ｌ」字状の溝状をなす第２規制部２２が形成されている。また、連結体２０には、左右に貫通する上下一対の挿通孔２３が形成されている。かかる４つの連結体２０は、その挿通孔２３を第１サイドフレーム１１Ｌの各挿通孔１４と同じ高さとなるように（挿通孔１４と対応させるように）上下に等間隔を空けた４位置に配置され、この４位置において両分割フレーム１１Ｒｆ，１１Ｒｒを結合することで第２サイドフレーム１１Ｒを構成している。
【００１８】
４本のガイドフレーム３０Ａ，３０Ｂは、合成樹脂製又は金属製の押出材からなり、断面形状が一部異なる２種類のものが用意されている。  
２本の第１ガイドフレーム３０Ａは、最も高い位置（サイドフレーム１１Ｌ，１１Ｒの上端部）と最も低い位置（サイドフレーム１１Ｌ，１１Ｒの下端部であってベース５０よりも少し上方の位置）に上下反転させた向きで配置される。第１ガイドフレーム３０Ａは、前後対称な形状であり、上下反転させたときには上下対称の形態となる。上側に配置される第１ガイドフレーム３０Ａの断面形状は、図５に示すように、全体として方形をなし、その下面には、第１ガイドフレーム３０Ａの中空内と非連通の略方形をなすガイド溝３１Ａが形成されている。また、第１ガイドフレーム３０Ａの中空内には、上下一対の円弧形をなす弧状雌ネジ部３２Ａが形成されている。  
２本の第２ガイドフレーム３０Ｂは、第１ガイドフレーム３０Ａの中間の２位置に配置される。この第２ガイドフレーム３０Ｂは上下対称且つ前後対称な形状をなす、第２ガイドフレーム３０Ｂの断面形状も、第１ガイドフレーム３０Ａと同様に、全体として方形をなし、その上面と下面には、夫々、方形に切欠した形態のガイド溝３１Ｂが形成されている。このガイド溝３１Ｂも、第２ガイドフレーム３０Ｂの中空内とは非連通である。第２ガイドフレーム３０Ｂの中空内にも、上下一対の円弧形をなす弧状雌ネジ部３２Ｂが形成されている。
【００１９】
かかるガイドフレーム３０Ａ，３０Ｂは、図６及び図７に示すように、その左右両端を両サイドフレーム１１Ｌ，１１Ｒの内側面（互サイドフレーム１１Ｌ，１１Ｒ同士が互いに対向する面）に当接させるとともに、弧状雌ネジ部３Ａ，３２Ｂを第１サイドフレーム１１Ｌの挿通孔１４及び連結体２０の挿通孔２３と同じ高さで対応させようにして、両サイドフレーム１１Ｌ，１１Ｒの間に水平に差し渡されるように組み付けられる。組付けに際しては、作業孔（図示せず）から第１サイドフレーム１１Ｌの中空内に差し込んだタップネジ３３を、挿通孔１４に貫通させるとともにガイドフレーム３０Ａ，３０Ｂの向かって左側の弧状雌ネジ部３２Ａ，３２Ｂに螺合させるとともに、連結体２０の挿通孔２３に差し込んだタップネジ３４をガイドフレーム３０Ａ，３０Ｂの向かって右側の弧状雌ネジ部３２Ａ，３２Ｂに螺合し、このタップネジ３３，３４で支持することにより、各ガイドフレーム３０Ａ，３０Ｂがサイドフレーム１１Ｌ，１１Ｒに対して所定の高さに固定される。尚、ガイドフレーム３０Ａ，３０Ｂの左右両端は、サイドフレーム１１Ｌ，１１Ｒに形成した前後一対の係止リブ１９Ｌ，１９Ｒの間で挟まれるので、ガイドフレーム３０Ａ，３０Ｂがサイドフレーム１１Ｌ，１１Ｒに対して前後方向へ相対変位することはない。
【００２０】
また、各サイドフレーム１１Ｌ，１１Ｒの上端部には、上からキャップ４０が取り付けられている。キャップ４０は、合成樹脂製又は金属製であり、前後対称な形状をなし、同一形状のものを左右反転させた向きで左右の両サイドフレーム１１Ｌ，１１Ｒに取り付けられている。キャップ４０は、平板板４１と、平板板４１の下面から下向きに突出させた前後一対の円筒部４２と、平板部４２の下面から下向きに突出させた４つの嵌合板４３とからなる。各キャップ４０は、円筒部４３をサイドフレーム１１Ｌ，１１Ｒの弧状雌ネジ部１５Ｌ，１５Ｒに圧入するとともに、各嵌合板４３をサイドフレーム１１Ｌ，１１Ｒの中空の内側面に面接触させることにより、サイドフレーム１１Ｌ，１１Ｒに対して前後及び左右への相対変位（ガタ付き）を規制された状態で組み付けられる。組付け状態では、キャップ４０の平板部４１が、サイドフレーム１１Ｌ，１１Ｒの中空の上面側の開口部を閉塞する。また、組み付けられたキャップ４０は、円筒部４２と弧状雌ネジ部１５Ｌ，１５Ｒとの間の摩擦抵抗により、サイドフレーム１１Ｌ，１１Ｒからの離脱を規制されている。
【００２１】
上記のようにサイドフレーム１１Ｌ，１１Ｒとガイドフレーム３０Ａ，３０Ｂとキャップ４０と連結体２０を組み付けることで、保持フレーム１０が構成されている。この保持フレーム１０には、サイドフレーム１１Ｌ，１１Ｒとガイドフレーム３０Ａ，３０Ｂとによって囲まれた上下３つの掲示空間Ｓが構成されている。各掲示空間Ｓの上下両縁部にはガイド溝３１Ａ，３１Ｂが位置し、各掲示空間Ｓの左右両側縁部には係止溝１２Ｌ，１２Ｒが位置している。各掲示空間Ｓの向かって右側縁部においては、係止溝１２Ｒと貫通孔１６とが連通していとともに、この係止溝１２Ｒと貫通孔１６を介して掲示空間Ｓが保持フレーム１０の外部と連通している。この係止溝１２Ｒと貫通孔１６は、掲示空間Ｓに対する掲示プレート６０の着脱のための出入り口となる。
【００２２】
掲示プレート６０は、上下に分割された３つの分割プレート６０Ｐから構成されている。各分割プレート６０Ｐは同一構成、且つ同一寸法とされている。各分割プレート６０Ｐは、前後一対の保持板６１と、この保持板６１の間に挟まれる前後一対のシート状掲示物６２と、両シート状掲示物６２の間に介装される介装板６３と、左右一対のクリップ６４と、スペーサ６５とを備えて構成される。
【００２３】
保持板６１は、容易に変形しない程度の剛性（厚さ）を有する透明若しくは投光性を有する合成樹脂材料からなり、方形をなしている。保持板６１の表裏両面のうち表面（外面）には、その左右両側縁に沿った縦長の保持溝６１ａが形成されている。シート状掲示物６２は、紙、薄い合成樹脂製のシート、布などからなり、表面側には掲示する内容が表記されている。介装板６３は、不透明な材料（合成樹脂、金属など）からなり、形状と寸法は保持板６１と同じである。この介装板６３は、光の透過を防止するためのものであり、保持板６１のように容易に変形しない程度の剛性を有していてもよく、容易に湾曲変形し得るような柔らかいものであってもよい。
【００２４】
クリップ６４は、全体として縦長をなし、保持板６１の高さ寸法と同じ長さを有しているとともに、弾性を有する材料（合成樹脂、金属など）の押出材からなっている。クリップ６４には、片持ち状に延出するとともに延出端側に向かって次第に前後間隔（対向間隔）が狭まった形態の前後一対の縦長の弾性挟持片６４ａが、クリップ６４の全長に亘って連続して形成され、各弾性挟持片６４ａの先端（延出端）には、内向きに突出する形態の縦長の爪片６４ｂが、クリップ６４の全長に亘って連続して形成されている。また、クリップ６４には、弾性挟持片６４ａとは反対側に突出する前後一対の連結片６４ｃが、クリップ６４の全長に亘って連続して形成されており、各連結片６４ｃの外側の面（前面と後面）には、クリップ６４の全長に亘って連続する連結溝６４ｄが形成されている。
【００２５】
スペーサ６５は、容易に変形しない程度の剛性を有する材料（合成樹脂、金属など）の押出材からなり、クリップ６４と同じ長さを有する。スペーサ６５の断面形状は全体として方形をなし、その外面には、略「Ｔ」字状をなす連結部６５ａが、スペーサ６５の全長に亘って連続して突出形成されているとともに、この連結部６５ａを前後両側から挟むように位置する一対の連結片６５ｂが、スペーサ６５の全長に亘って連続して形成されている。また、スペーサ６５の前後両板部の外面には、スペーサ６５の全長に亘って連続する抜止めリブ６５ｃが突出形成されている。さらに、スペーサ６５における連結部６５ａ及び連結片６５ｂとは反対側の側縁部には、その側縁部の外面と面一状に前後両両方向へ張り出す一対の翼片６５ｄが、スペーサ６５の全長に亘って連続して形成されている。
【００２６】
次に、本実施形態に作用を説明する。  
まず、掲示プレート６０を次の手順で組み立てる。まず、介装板６３の表面（前面）と前側の保持板６１との間にシート状掲示物６２を挟み込むとともに、介装板６３の裏面（後面）と後側の保持板６１との間に別のシート状掲示物６２を挟み込み、これらの上下左右の縁部を整合させて全て重ね合わせる。そして、前後両保持板６１の左右両側縁をクリップ６４の弾性挟持片６４ａで挟むとともに、その弾性挟持片６４ａの爪片６４ｂを保持板６１の保持溝６１ａに係止させる。この弾性挟持片６４ａの弾性挟持力により、介装板６３と保持板６１とシート状掲示物６２が、容易に分離しないように重ね合わされた状態に保持される。この後、向かって右側のクリップ６４の連結片６４ｃを、上方または下方からスペーサ６５の連結部６５ａと連結片６５ｂとの間にスライドさせつつ嵌合する。これにより、クリップ６４とスペーサ６５が一体化され、もって、掲示プレート６０の組付けが完了する。
【００２７】
組み付けられた掲示プレート６０は、保持フレーム１０に対して向かって右方から組み付けられる。組付けに際しては、作業者はスペーサ６５を掴んで掲示プレート６０を水平移動させつつ貫通孔１６に差し込む。すると、図１３に示すように、掲示プレート６０の向かって左側の端部が掲示空間Ｓに進入するとともに、その掲示空間Ｓの上下両側のガイドフレーム３０Ａ，３０Ｂのガイド溝３１Ａ，３１Ｂに嵌合される。この状態から、掲示プレート６０をさらに水平にスライドさせつつ押し込むと、掲示プレート６０が、図５に示すようにガイド溝３１Ａ，３１Ｂに案内されつつ、掲示空間Ｓ内に深く嵌め込まれ、正規の組付け位置に至る。
【００２８】
掲示プレート６０が正規の組付け位置（シート状掲示物６２が掲示空間Ｓ内で係止される位置）に達すると、図１４に示すように、掲示プレート６０の向かって左側の端縁部（クリップ６４）が第１サイドフレーム１１Ｌの係止溝１２Ｌに嵌合してその奥端面に突き当たり、その係止溝１２Ｌの抜止め突起１３Ｌにクリップ６４の連結溝６４ｄが係止してセミロック状態になると同時に、スペーサ６５の抜止めリブ６５ｃが第２サイドフレーム１１Ｒの貫通孔１６の前後両開口縁部の抜止め部１６ａに係止されてセミロック状態となる。このセミロックにより、掲示プレート６０が保持フレーム１０に対して容易に離脱しないように正規の組付け状態に保持される。また、掲示プレート６０の左右両側縁が係止溝１２Ｌ，１２Ｒに嵌合するとともに、掲示プレート６０の上下両縁部がガイド溝３１Ａ，３１Ｂに嵌合することにより、掲示プレート６０の保持フレーム１０に対する前後方向の相対変位及び離脱が規制される。尚、第２サイドフレーム１１Ｒの向かって右側の外側面における貫通孔１６の開口部は、スペーサ６５の外側面及び翼片６５ｄによって閉塞される。
【００２９】
また、組み付けられている分割プレート６０Ｐを保持フレーム１０から外す際には、第２サイドフレーム１１Ｒの貫通孔１６の開口部に臨んでいるスペーサ６５の翼片６５ｄに指や治具を引っ掛けて分割プレート６０Ｐを少し第２サイドフレーム１１Ｒの外側方（向かって右方）へ引き出し、その後、スペーサ６５を掴んで分割プレート６０Ｐを向かって右方へ水平にスライドさせつつ抜き取ればよい。上記した分割プレート６０Ｐの保持フレーム１０への組付けと、保持フレーム１０からの分割プレート６０Ｐの抜取りは、各分割プレート６０Ｐ毎に独立して行うことができる。
【００３０】
上述のように本実施形態においては、掲示プレート６０を組み付ける際には、分割プレート６０Ｐを１枚ずつ貫通孔１６に差し込んで水平にスライドさせればよい。掲示プレート６０を、上からではなく、横から組み付けるようにしたので、掲示プレート６０（分割プレート６０Ｐ）を高く持ち上げる必要がなく、作業性がよい。しかも、掲示プレート６０を高さ寸法の小さい複数の分割プレート６０Ｐに分けたので、掲示プレート６０全体の高さ寸法が大きい場合でも、サイドフレーム１１Ｌ，１１Ｒに対する組付けや取扱いが容易である。また、掲示プレート６０の高さ寸法が大きい場合でも、サイドフレーム１１Ｌ，１１Ｒの上方に組付けのためのスペースを確保する必要がない。
【００３１】
また、一対のサイドフレーム１１Ｌ，１１Ｒの間に、分割プレート６０Ｐの上下両縁を案内するガイドフレーム３０Ａ，３０Ｂを概ね水平に差し渡して設けた。これにより、分割プレート６０Ｐをガイドフレーム３０Ａ，３０Ｂの上面に摺接させつつ組み付けることができるので、組付けの作業性が良い。
【００３２】
また、分割プレート６０Ｐを、透光性を有しシート状掲示物６２を挟むようにして重ね合わされる一対の保持板６１と、一対の保持板６１の外縁部に対し表裏両面側から挟むように取り付けられるクリップ６４とを備えた積層構造としたので、紙のように剛性の低いシート状掲示物６２を掲示することが可能である。また、シート状掲示物６２を挟み込んで重ね合わせた一対の保持板６１は、その外縁部に取り付けたクリップ６４により重ね合わせ状態に保持されていて分離する虞がないので、サイドフレームに対する組付けや取扱いが容易である。
【００３３】
また、分割プレート６０Ｐにおける貫通孔１６と対応する側縁部に、一対のサイドフレーム１１Ｌ，１１Ｒに組み付けられた状態において貫通孔１６の外側面側の開口を閉塞するスペーサ６５を設けたので、分割プレート６０Ｐを組み付けた状態において貫通孔１６からの異物の侵入を防止できるとともに、外側面の凹凸が軽減されて概ねフラットに近い形状となることにより美観の向上を図ることができる。
【００３４】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。  
（１）上記実施形態では掲示プレートを構成する全ての分割プレートを一対の保持板とシート状掲示物からなる積層構造としたが、本発明によれば、積層構造の分割プレートと、表面に掲示内容を印刷や手書きなどにより表示した１枚板構造の分割プレートとを組み合わせて１つの掲示プレートを構成してもよく、全ての分割プレートを１枚板構造のものとしてもよい。  
（２）上記実施形態では分割プレートの間を仕切るガイドフレームを設けることで各分割プレートをガイドフレームが支承するようにしたが、本発明によれば、ガイドフレームを設けず、上下の分割プレート同士が直接当接することで、下側の分割プレートが上側の分割プレートを支承するようにしてもよい。  
（３）上記実施形態ではクリップを左右両側縁のみに設けたが、本発明によれば、クリップは、上下両縁のみに設けてもよく、上下左右の全ての縁部に設けてもよい。  
（４）上記実施形態ではスペーサをクリップとは別体としたが、スペーサとクリップを別体部品としてもよい。  
（５）上記実施形態ではスペーサを分割プレートに設けたが、本発明によれば、スペーサに替えて、分割プレートとは別に貫通孔の開口部を塞ぐカバーを設けてもよい。  
（６）上記実施形態ではガイドフレームの上面と下面に分割プレートを嵌合させるガイド溝を設けたが、本発明によれば、ガイドフレームの上面と下面をフラットな面としてもよい。  
（７）上記実施形態では掲示プレートが縦長の方形をなす場合について説明したが、本発明は、掲示プレートが正方形または横長の方形をなす場合にも適用することができる。
（８）上記実施形態では掲示プレートが方形をなす場合について説明したが、本発明は、方形に限らず、台形や四角以外の多角形をなす場合にも適用することができる。  
（９）上記実施形態ではサイドフレームが直線状をなすとともに掲示プレートがフラットである場合について説明したが、本発明によれば、サイドフレームと掲示プレートを湾曲した形態とすることもできる。  
（１０）上記実施形態では掲示プレートの表裏両面が表示される形態としたが、本発明によれば、サイドフレームに取り付けたパネルによって掲示プレートの裏面側を覆う形態としてもよい。  
（１１）上記実施形態では掲示プレートを３つの分割プレートに分割したが、本発明によれば、２に分割してもよく、４つ以上に分割してもよい。
【図面の簡単な説明】
【００３５】
【図１】実施形態１の斜視図
【図２】分割プレートを組み付ける前の状態をあらわす斜視図
【図３】分割プレートの分解斜視図
【図４】分割プレートの分解斜視図
【図５】掲示プレートを組み付けた状態をあらわす縦断面図
【図６】サイドフレームとガイドフレームの組付け構造をあらわす水平断面図
【図７】サイドフレームとガイドフレームの組付け構造をあらわす水平断面図
【図８】連結体の平面図
【図９】連結体の右側面図
【図１０】連結体の左側面図
【図１１】キャップの平面図
【図１２】キャップの底面図
【図１３】分割プレートを組み付ける過程をあらわす水平断面図
【図１４】分割プレートの組付けが完了した状態をあらわす水平断面図
【符号の説明】
【００３６】
１１Ｌ…第１サイドフレーム
１１Ｒ…第２サイドフレーム
１２Ｌ…第１係止溝
１２Ｒ…第２係止溝
１６…貫通孔
３０Ａ，３０Ｂ…ガイドフレーム
６０…掲示プレート
６０Ｐ…分割プレート
６１…保持板
６２…シート状掲示物
６４…クリップ
６４ｄ…連結溝（係止部）
６５…スペーサ
６５ｃ…抜止めリブ（係止部）
【図１】
2006030670.tif 000003
【図２】
2006030670.tif 000004
【図３】
2006030670.tif 000005
【図４】
2006030670.tif 000006
【図５】
2006030670.tif 000007
【図６】
2006030670.tif 000008
【図７】
2006030670.tif 000009
【図８】
2006030670.tif 000010
【図９】
2006030670.tif 000011
【図１０】
2006030670.tif 000012
【図１１】
2006030670.tif 000013
【図１２】
2006030670.tif 000014
【図１３】
2006030670.tif 000015
【図１４】
2006030670.tif 000016